(57)【要約】      （修正有）【課題】バネで常時確実にロックでき、従来の吊り下げスタンド台のようにつまみ型ボルトの締め付け不足でステーが落下するような事態は起こらないスライドスタンド装置を提供する。  【解決手段】細長い棒状のステー２と、ステー２が昇降可能に入り込む筒状の支持スタンド３と、支持スタンド３内に配置してステー２に密に嵌装する締め付けバネと、締め付けバネの内径を小さくするように作用するロックアシストバネと、ステー２の昇降を回転によって可能にするロック解除部材１２とを備え、締め付けバネの一端部をロック解除部材１２に係止するとともに、締め付けバネの他端部を支持スタンド３に直接または間接的に係止する。  【選択図】図１
0003190574.tif 000002
【実用新案登録請求の範囲】
【請求項１】
細長い棒状のステーと、該ステーが昇降可能に入り込む筒状の支持スタンドと、支持スタンド内に配置してステーに密に嵌装する締め付けバネと、締め付けバネの内径を小さくするように作用するロックアシストバネと、ステーの昇降を回転によって可能にするロック解除部材とを備え、締め付けバネの一端部をロック解除部材に係止するとともに、該締め付けバネの他端部を支持スタンドに直接または間接的に係止し、ロックアシストバネによって締め付けバネの捩り力に逆らうかまたはその捩り力とともにステーをロックするバネロック式のスライドスタンド装置。
【請求項２】
支持スタンドの前端にバネホルダを嵌め込んで固着し、該バネホルダにはより大径の前方内径部および縦スリットを設けた後方内径部を形成し、締め付けバネの他端部をバネホルダ後方の縦スリットで係止する請求項１記載のスライドスタンド装置。
【請求項３】
ロック解除部材の大径部に湾曲溝を形成してバネホルダの表面突起を嵌入するとともに、該湾曲溝内にロックアシストバネを収納することにより、ロックアシストバネが締め付けバネの内径を小さくするように作用する請求項１記載のスライドスタンド装置。
【請求項４】
ロックアシストバネが圧縮コイルバネである請求項１または３記載のスライドスタンド装置。
【考案の詳細な説明】
【技術分野】
【０００１】
本考案は、ステーの昇降作業が容易で確実に固定できるバネロック式のスライドスタンド装置に関する。
【背景技術】
【０００２】
ステーの高さを調整できるスライドスタンド装置は、図１０に例示するように、病院における点滴バッグ１００の吊り下げスタンド台１０２などとして多用されている。吊り下げスタンド台１０２は、患者が買い物や小用で病院内を移動する際に持って歩くことがあり、このために患者の身長に応じて点滴バッグ１００の高さ位置を適宜調整し、さらにベッド内の患者の姿勢位置に応じて調整することも必要である。この種の吊り下げスタンド台は、商店やスーパーマーケットにおいて、商品表示札や価格表示札を目立つように吊り下げ表示する場合などにも使用されている。
【０００３】
従来の吊り下げスタンド台１０２は、下方スタンド１０４の上方周壁において、つまみ型ボルト１０６を直径方向にねじ込み配置する。吊り下げスタンド台１０２では、下方スタンド１０４に入れ子式に挿入したステー１０８を適宜昇降させた後に、つまみ型ボルト１０６で締め付けてステー１０８をロックする。このような昇降・ロック方法は、構造が単純で昇降作業が容易である反面、つまみ型ボルト１０６による締め付けが不十分であると、点滴バッグ１００の重さでステー１０８が急に下降することがあり、該点滴バッグの急降下が患者への点滴中に発生すると、その患者に悪影響を及ぼす場合がある。また、この吊り下げスタンド台１０２では、点滴バッグ１００などの吊り下げ物がある程度以上の重さになると、ステー１０８を安定してロックすることが困難になる。
【０００４】
ステーの高さ調整可能なスライドスタンド装置の他の例として、実用新案登録第３１３６９５３号に開示のスライドロック機構がある。このスライドロック機構は、ステーに嵌装するコイルバネ部を有し、該コイルバネ部の内径はステーを非挿入状態で該ステーの直径よりも小さく、操作部を回してコイルバネ部の内径を若干大きくすることにより、ステーを昇降させることが可能になる。このスライドロック機構は、比較的構造が単純で安価であり、しかも操作が容易である。  
【先行技術文献】
【特許文献】
【０００５】
【特許文献１】実用新案登録第３１３６９５３号公報
【考案の概要】
【考案が解決しようとする課題】
【０００６】
実用新案登録第３１３６９５３号に開示のスライドロック機構は、比較的構造が単純である反面、コイルバネ部の締め付けだけでステーをロックするので、該ステーの固定力が比較的小さく、ヘッドレストのような軽い物体ではステーを安定固定できても、吊り下げ物が重くなるとステーを安定してロックすることができない。また、このスライドロック機構では、２本のステーを並列に設置するので問題がないけれども、ステーを１本だけ設置すると、該ステーが昇降時に自転して吊り下げ物を落としてしまうおそれがある。
【０００７】
本考案は、従来の吊り下げスタンド台およびスライドロック機構に関する前記の問題点を改善するために提案されたものであり、独自のロックアシストバネを設置することによって締め付けバネのステー固定力を高め、重い吊り下げ物でも安定して保持できるバネロック式スライドスタンド装置を提供することを目的としている。本考案の他の目的は、高弾性のロックアシストバネを使用することにより、軽量物支持の吊り下げスタンド台だけでなく、重量物を吊り下げ保持することで一般機械器具などの用途にも適用できるバネロック式スライドスタンド装置を提供することである。
【課題を解決するための手段】
【０００８】
本考案に係るバネロック式のスライドスタンド装置は、細長い棒状のステーと、該ステーが昇降可能に入り込む筒状の支持スタンドと、支持スタンド内に配置してステーに密に嵌装する締め付けバネと、締め付けバネの内径を小さくするように作用するロックアシストバネと、ステーの昇降を回転によって可能にするロック解除部材とを備える。本考案のスライドスタンド装置では、締め付けバネの一端部をロック解除部材に係止するとともに、該締め付けバネの他端部を支持スタンドに直接または間接的に係止し、ロックアシストバネによって締め付けバネの捩り力に逆らうかまたはその捩り力とともにステーをロックする。
【０００９】
本考案のスライドスタンド装置において、支持スタンドの前端にバネホルダを嵌め込んで固着し、該バネホルダにはより大径の前方内径部および縦スリットを設けた後方内径部を形成し、締め付けバネの他端部をバネホルダの縦スリットで係止すると好ましい。また、ロック解除部材の大径部に湾曲溝を形成してバネホルダの表面突起を嵌入するとともに、該湾曲溝内にロックアシストバネを収納することにより、ロックアシストバネが締め付けバネの内径を小さくするように作用する。さらに、ロックアシストバネが圧縮コイルバネであると好ましい。
【考案の効果】
【００１０】
本考案に係るスライドスタンド装置は、バネで常時確実にロックするタイプのスタンドであり、従来の吊り下げスタンド台のようにつまみ型ボルトの締め付け不足でステーが落下するような事態は起こらない。本考案のスライドスタンド装置は、締め付けバネに加えてロックアシストバネを設置することにより、該ロックアシストバネで締め付けバネのステー固定力を高め、重い吊り下げ物でも安定して保持する。
【００１１】
本考案に係るスライドスタンド装置は、ロックアシストバネを変更すると締め付けバネのステー固定力を調節することが可能であり、高弾性のロックアシストバネを使用すると締め付けバネのステー固定力をいっそう高めることができる。この結果、本考案のスライドスタンド装置は、各種の重量物を安定して吊り下げ保持することにより、一般機械器具、運輸・運搬機械、住戸空間設備構成材、伸縮自在ステッキなどの用途に適用できる。
【図面の簡単な説明】
【００１２】
【図１】本考案に係るスライドスタンド装置を示す要部斜視図である。
【図２】図１のスライドスタンド装置の縦断面図である。
【図３】ステーを除いたスライドスタンド装置を分解して示す要部斜視図である。
【図４】本考案で用いるロック解除部材の斜視図である。
【図５】図４のロック解除部材の底面を示す断面図である。
【図６】本考案で用いるバネホルダの平面図である。
【図７】本考案の第２実施例であるステーを除いたスライドスタンド装置の分解斜視図である。
【図８】第２実施例を示すロック解除部材の底面を示す断面図である。
【図９】本考案の第３実施例を示すスライドスタンド装置の概略縦断面図である。
【図１０】従来の吊り下げスタンド台を示す斜視図である。
【考案を実施するための形態】
【００１３】
本考案に係るスライドスタンド装置１は、図１に示すように、細長い棒状のステー２と、該ステーが昇降可能に入り込む筒状の支持スタンド３とが外観上の主要部であり、実際の用途では、図１０に示す吊り下げスタンド台のように支持バー５やキャスタ６などを取り付ける。スライドスタンド装置１は、前記のように用途に応じて付属物が異なり、一例として、一般機械器具や運輸・運搬機械などでは支持スタンド３の後端部を壁面に水平や斜めに固着し、または機械の一部が支持スタンドを実質的に構成する場合もある。
【００１４】
図１および図２において、ステー２は長寸で直線状の円柱形であり、支持スタンド３は長寸の四角筒形であるけれども、ステー２および支持スタンド３の形状は用途に応じて任意に設定すればよい。例えば、ステーが角柱形または楕円形断面で上方部が屈曲しても、支持スタンドが五角以上の多角形または楕円形などの異形断面を有していてもよく、該スタンドの内周が四角形で外周が円形断面などにすることも可能である。
【００１５】
スライドスタンド装置１は、図２および図３に示すように、支持スタンド３内に配置してステー２に嵌装する締め付けバネ８と、該締め付けバネの内径を小さくするように作用するロックアシストバネ１０と、ステー２の昇降を回転によって可能にするロック解除部材１２とを備える。一般に、締め付けバネ８は、図３から明らかなように、支持スタンド３の上方部内に配置され、フリーの状態でその内径がステー２の内径よりも若干大きくても、またはステー２の内径よりも若干小さくてもよい（図７参照）。
【００１６】
締め付けバネ８は、捩りモーメントを受けることでその内径が増減することを要する。締め付けバネ８は、図３のようにステー直径よりも内径がわずかに大きい場合には、ロックアシストバネ１０の弾力でその内径を小さくしてステー２をロックし、図７のようにステー直径よりも内径がわずかに小さい場合には締め付けバネ８だけでもステー２をロックでき、ロックアシストバネ１０の弾力でステー固定力をいっそう高める。締め付けバネ８は、図示のような円筒コイルバネやリングバネなどの形状であり、捩りモーメントが受けられるようにその前後端部１４，１６（図３）を軸方向と平行に延ばす。
【００１７】
ロック解除部材１２は、図３から図５に示すように、通常、段状の円筒形であって内周面１５の内径はステー２の外径よりもわずかに大きい。ロック解除部材１２は、ディスク状の大径部１８と、該大径部よりも径が小さくて長い小径部２０とからなり、該大径部の周壁２２をローレット加工などを施すと好ましい。
【００１８】
ロック解除部材１２において、図４と図５に例示するように、大径部１８の円環状下方壁に湾曲溝２４を設け、該湾曲溝内にロックアシストバネ１０を収納する。湾曲溝２４の長さと幅は、ロックアシストバネ１０の寸法に応じて定まり、通常は大径部１８の半円周よりも短い長さである。ロックアシストバネ１０は、一般的な圧縮コイルバネであっても、または多数枚の皿バネや板バネなどの組み合わせでもよく、ゴムなどの弾性部材が使用可能な場合もある。ロックアシストバネ１０の設置場所は、図示のような大径部１８の下方壁ではなくてもよい。例えば、ロック解除部材１２に多少の変形を加えると、支持スタンド３の前端外周に配置して外周にカバーを取り付けても、機械の一部が支持スタンドを構成する場合には該機械内部に設置することも可能である。
【００１９】
ロック解除部材１２の小径部２０には、軸方向に縦スリット２６を形成し、スタンド組み立て時に縦スリット２６内に締め付けバネ８の前端部１４が嵌まって係止される。ロック解除部材１２は、支持スタンド３の前端位置に回転自在に取り付ける。このため、小径部２０の上方部には環状溝２８を設け、該環状溝内に複数個のネジボルト３０（図３）の前方部が入り込むことにより、ロック解除部材１２をバネホルダ３２（図３）に回転自在に取り付ける。ロック解除部材１２を回転自在に取り付ける手段として、ネジボルト３０の代わりに他の部品を利用してもよい。
【００２０】
バネホルダ３２は、図３および図６に例示するように、支持スタンド３の前端に嵌め込んで固着すればよく、このようなバネホルダを装着する代わりに支持スタンド３の前方内部を切削加工してもよい（図９参照）。バネホルダ３２は、支持スタンド３の外周とほぼ同形の大矩形部４０と、支持スタンド３の内周とほぼ同形で該支持スタンドの内部へ挿入可能な比較的長い小矩形部４２とからなる。大矩形部４０の側壁には、例えば、複数の小ネジ孔４３（図３）を設け、各ネジ孔にネジボルト３０（図３）をねじ込む。一方、バネホルダ３２の内周面は、ステー２の外径とほぼ等しい後方内径部４４（図６）と、該後方内径部よりも大きく且つ締め付けバネ８の外径よりもわずかに大きい前方内径部４６とからなり、該前方内径部は締め付けバネ８の本体長さよりも長い。
【００２１】
バネホルダ３２は、その後方内径部４４において、締め付けバネ８の後端部１６が入り込む縦スリット４７（図６）を形成する。バネホルダ３２の上方壁には、小円柱形の突起４８（図３、図５および図６）を植設する。突起４８は、スタンド組み立て時にロック解除部材１２の湾曲溝２４内に入り込み、ロック解除部材１２を回しても常に湾曲溝２４内に位置する。
【００２２】
スタンド組み立て時には、ステー２をロック解除部材１２、締め付けバネ８およびバネホルダ３２に通してから回り止め７を取り付ける。この際に、締め付けバネ８の内径がステー２の直径よりも小さいならば、該締め付けバネを捩ることで内径を広げて嵌装する。締め付けバネ８は、図３から明らかなように、支持スタンド３の前方内径部４６内に配置され、フリーの状態でその内径がステー２の内径よりも若干大きくても、またはステー２の内径よりも若干小さくてもよく、この際にはステー２を挿入すると常時締め付ける。
【００２３】
バネホルダ３２は、支持スタンド３の前端に嵌め込まれて支持スタンド３に固着される。締め付けバネ８をバネホルダ３２の前方内径部４６内に嵌めると、該締め付けバネの後端部１６が後方内径部４４の縦スリット４７に入り込み、締め付けバネ１０を係止する。次に、ロック解除部材１２の小径部２０をバネホルダ３２の前方内径部４６内に嵌入し、該前方内径部の縦スリット２６に締め付けバネ８の前端部１４を挿入して係止する。この際に、バネホルダ３２の突起４８は、ロック解除部材１２の湾曲溝２４内に入り込み、次にロック解除部材１２をバネホルダ３２に回転自在に取り付ける。
【００２４】
ロックアシストバネ１０は、ロック解除部材１２の湾曲溝２４内に収納され、図５に示すように、バネ１０の一端がバネホルダ３２の突起４８に接触することにより、ロック解除部材１２を図５の反時計方向に常時付勢する。図３では、ロックアシストバネ１０の弾力が締め付けバネ８の捩り力よりも大きく、ロック解除部材１２を介して締め付けバネ８の内径を狭めることにより、ステー２を所定の高さ位置でロックする。また、図７では、ロックアシストバネ１０の弾力が締め付けバネ８の捩り力に加算され、締め付けバネ８によるロック力をいっそう高める。
【００２５】
スライドスタンド装置１において、ステー２の高さを変える場合には、ロック解除部材１２をロックアシストバネ１０の弾力に逆らって図３の矢印方向つまり図５の矢印方向に回し、締め付けバネ８の内径を元に戻すかまたは広げ、そのままの状態でステー２を昇降させる。次に、ロック解除部材１２をフリーにすると、該ロック解除部材は、ロックアシストバネ１０の弾力によって図５の反時計方向に回り、締め付けバネ８の内径を狭めることでステー２を所定の高さ位置でロックする。
【００２６】
スライドスタンド装置１は、ロックアシストバネ１０を介して締め付けバネ８によりまたは両バネによってステー２を確実にロックするので、手締めによる締め付け不足でステー２が落下するような事態は発生しない。スライドスタンド装置１は、締め付けバネ８に加えてロックアシストバネ１０を設置することにより、締め付けバネ８の内径がステー外径よりも大きい場合でも、ロックアシストバネ１０で確実に締め付けバネ８の内径を狭めてステー固定力を高め、重い吊り下げ物でも安定して保持できる。
【００２７】
スライドスタンド装置１は、ロックアシストバネ１０を変更すると締め付けバネのステー固定力を調節することが可能であり、高弾性のロックアシストバネを使用すると締め付けバネのステー固定力をいっそう高めることができる。この結果、スライドスタンド装置１は、各種の重量物を安定して吊り下げ保持することにより、一般機械器具、運輸・運搬機械、住戸空間設備構成材などの用途に適用できる。
【実施例１】
【００２８】
次に、本考案を実施例に基づいて説明すると、図１に本考案に係るスライドスタンド装置１を示す。スライドスタンド装置１は、図１の二点鎖線で示すように伸縮可能な細長い棒状のステー２と、該ステーが昇降可能に入り込む筒状の支持スタンド３とを有する。ステー２は長寸で直線状の円柱形であり、支持スタンド３は長寸の四角筒形である。
【００２９】
ステー２の下端部には、角形の回り止め７を固着し、該回り止めの外径は支持スタンド３の内径とほぼ等しい。回り止め７によってステー２が昇降時に自転することがないので、該ステーの吊り下げ物などを容易且つ迅速に昇降できる。また、所望に応じて、ステー２の上端にプラグ５０および支持スタンド３の下端にプラグ５２を取り付ける。
【００３０】
スライドスタンド装置１は、図２および図３に示すように、支持スタンド３内に配置する締め付けバネ８と、該締め付けバネの内径を小さくするように作用するロックアシストバネ１０と、ステー２の昇降を制御するロック解除部材１２とを備える。締め付けバネ８は、支持スタンド３の上方部内に配置され、フリーの状態でその内径がステー２の内径よりも若干大きい。締め付けバネ８は、ロックアシストバネ１０の弾力でその内径を小さくしてステー２をロックする。締め付けバネ８は、その前後端部１４，１６（図３）を軸方向と平行に延ばす。
【００３１】
ロック解除部材１２は、図３から図５に示すように、ディスク状の大径部１８と、該大径部よりも径が小さくて長い小径部２０とからなり、該大径部の周壁２２にローレット加工を施す。大径部１８の直径は、回しやすいように支持スタンド３の対角線よりも長いと好ましい。図４と図５に例示するように、大径部１８の円環状下方壁に湾曲溝２４を設け、該湾曲溝内にロックアシストバネ１０を収納する。ロックアシストバネ１０は、一般的な圧縮コイルバネである。また、小径部２０には軸方向に縦スリット２６を形成する。小径部２０の上方部には環状溝２８を設け、該環状溝内に複数個のネジボルト３０（図３）の前方部が入り込むことにより、ロック解除部材１２をバネホルダ３２（図３）に回転自在に取り付ける。
【００３２】
バネホルダ３２は、図３および図７に示すように、支持スタンド３の前端に嵌め込んで固着する。バネホルダ３２を固着するには、通常、ボルト３４（図３）をスタンド外壁の貫通孔３６に差し込み、該ホルダのネジ孔３８にねじ込んで締着する。バネホルダ３２は、支持スタンド３の外周とほぼ同形の大矩形部４０と、該支持スタンドの内周とほぼ同形で該支持スタンドの内部へ挿入可能な比較的長い小矩形部４２とからなる。大矩形部４０の側壁には、複数の小ネジ孔４３（図３）を設け、各ネジ孔にネジボルト３０（図３）をねじ込んで、その前端部がロック解除部材１２の環状溝２８内に入り込む。
【００３３】
バネホルダ３２の内周面は、ステー２の外径とほぼ等しい後方内径部４４（図６）と、該後方内径部よりも大きくて締め付けバネ８の外径よりもわずかに大きい前方内径部４６とからなり、該前方内径部は締め付けバネ８の本体長さよりも長い。バネホルダ３２の後方内径部４４には縦スリット４７（図６）を形成する。バネホルダ３２の上方壁には、小円柱形の突起４８（図３）を植設する。
【００３４】
スタンド組み立て時には、ステー２をロック解除部材１２、締め付けバネ８およびバネホルダ３２に通してから回り止め７を取り付ける。締め付けバネ８は、図３から明らかなように、コイルバネ状であってバネホルダ３２の前方内径部４６内に配置され、フリーの状態でその内径はステー２の内径よりも若干大きい。
【００３５】
バネホルダ３２は、支持スタンド３の前端に嵌め込まれ、ボルト３４で支持スタンド３に固着する。締め付けバネ８をバネホルダ３２の前方内径部４６内に嵌めると、該締め付けバネの後端部１６が後方内径部４４の縦スリット４７に入り込む。次に、ロック解除部材１２の小径部２０をバネホルダ３２の前方内径部４６内に嵌入し、該前方内径部の縦スリット２６に締め付けバネ８の前端部１４を挿入する。この際に、バネホルダ３２の突起４８は、ロック解除部材１２の湾曲溝２４内に入り込む。バネホルダ３２は、バネホルダ３２の大矩形部４０にネジボルト３０をねじ込むことにより、ロック解除部材１２をバネホルダ３２に回転自在に取り付ける。
【００３６】
ロックアシストバネ１０は、ロック解除部材１２の湾曲溝２４内に収納され、図５に示すように、該ロックアシストバネの一端がバネホルダ３２の突起４８に接触することにより、ロック解除部材１２を図５の反時計方向に常時付勢する。ロックアシストバネ１０の他端は、湾曲溝２４内で小円柱体４９と接触する。図３では、ロックアシストバネ１０の弾力が締め付けバネ８の捩り力よりも大きく、ロック解除部材１２を介して締め付けバネ８の内径を狭めることにより、ステー２を所定の高さ位置でロックする。
【００３７】
スライドスタンド装置１において、ステー２の高さを変える場合には、ロック解除部材１２をロックアシストバネ１０の弾力に逆らって図３の矢印方向つまり図５の矢印方向に回し、締め付けバネ８の内径を元に戻し、そのままの状態でステー２を昇降させる。次に、ロック解除部材１２をフリーにすると、該ロック解除部材は、ロックアシストバネ１０の弾力によって図５の反時計方向に回り、締め付けバネ８の内径を狭めることでステー２を所定の高さ位置でロックする。
【００３８】
スライドスタンド装置１は、ロックアシストバネ１０を介して締め付けバネ８によってステー２を確実に常にロックするので、手締めによる締め付け不足でステー２が落下するような事態は発生しない。スライドスタンド装置１は、ロックアシストバネ１０を設置することにより、締め付けバネ８の内径がステー外径よりも大きくても、ロックアシストバネ１０で確実に締め付けバネ８の内径を狭めてステー固定力を高め、重い吊り下げ物でも安定して保持できる。
【実施例２】
【００３９】
図７および図８は本考案の第２実施例を示し、この実施例の構造と機能は前記の実施例と類似しており、前記の実施例と同様な部材には同じ図番を用いる。図７に示すスライドスタンド装置６０は、細長い棒状のステー２と、該ステーが昇降可能に入り込む筒状の支持スタンド３とを有する。  
【００４０】
スライドスタンド装置６０は、支持スタンド３内に配置する締め付けバネ６２と、該締め付けバネの内径を小さくするように作用するロックアシストバネ６４と、ステー２の昇降を制御するロック解除部材１２とを備える。締め付けバネ６２は、コイルバネ状で支持スタンド３の上方部内に配置され、ステー２の内径よりも若干小さい。この場合には、締め付けバネ６２だけでもステー２をロックできるけれども、ロックアシストバネ６４の弾力でロック力をいっそう高める。締め付けバネ６２は、その前後端部１４，１６を軸方向と平行に延ばす。
【００４１】
スタンド組み立て時には、ステー２をロック解除部材１２、締め付けバネ６２およびバネホルダ３２に通してから回り止め７を取り付ける。この際に、締め付けバネ６２の内径がステー２の直径よりも小さいので、該締め付けバネを捩ることで内径を広げて嵌装する。締め付けバネ６２は、支持スタンド３の上方部内に配置され、ステー２の内径よりも若干小さいので、ステー２を挿入すると常時締め付ける。
【００４２】
バネホルダ３２は、支持スタンド３の前端に嵌め込まれ、ボルト３４で支持スタンド３に固着する。締め付けバネ６２をバネホルダ３２の前方内径部４６内に嵌め、次に、ロック解除部材１２の小径部２０をバネホルダ３２の前方内径部内に嵌入する。この際に、バネホルダ３２の突起４８は、ロック解除部材１２の湾曲溝２４内に入り込み、次にロック解除部材１２をバネホルダ３２に回転自在に取り付ける。
【００４３】
ロックアシストバネ６４は、ロック解除部材１２の湾曲溝２４内に収納され、図８に示すように、該ロックアシストバネの一端がバネホルダ３２の突起４８に接触することにより、ロック解除部材１２を図８の時計方向に常時付勢する。図７では、ロックアシストバネ６４の弾力が締め付けバネ６２の捩り力に加算され、締め付けバネ６２によるロック力をいっそう高め、ステー２を所定の高さ位置でロックする。
【００４４】
スライドスタンド装置６０において、ステー２の高さを変える場合には、ロック解除部材１２を締め付けバネ６２の捩り力およびロックアシストバネ６４の弾力に逆らって図７の矢印方向つまり図８の矢印方向に回し、締め付けバネ６２の内径を広げ、そのままの状態でステー２を昇降させる。次に、ロック解除部材１２をフリーにすると、該ロック解除部材は、締め付けバネ６２の捩り力およびロックアシストバネ６４の弾力によって反転し、締め付けバネ６２の内径を狭めることでステー２を所定の高さ位置でロックする。
【００４５】
スライドスタンド装置６０は、締め付けバネ６２およびロックアシストバネ６４によってステー２を確実にロックするので、手締めによる締め付け不足でステー２が落下するような事態は発生しない。スライドスタンド装置６０は、締め付けバネ６２単独でもロックできるけれども、さらにロックアシストバネ６４を設置することにより、ロックアシストバネ６４で確実に締め付けバネ６２の内径を狭めてステー固定力を高め、重い吊り下げ物でも安定して保持できる。
【実施例３】
【００４６】
図９は本考案の第３実施例を示し、スライドスタンド装置７０は、細長い棒状のステー７２と、該ステーが昇降可能に入り込む円筒形の支持スタンド７４とを有する。支持スタンド７４の内径は、ステー７２の外径よりもわずかに大きい。支持スタンド７４は、前端にフランジ部７５を形成するとともに、前記のバネホルダを装着する代わりに、支持スタンド７４の前方内周面を切削加工する。
【００４７】
支持スタンド７４の前端内周面には、締め付けバネ７６が収納できるように、該締め付けバネの外径よりもわずかに大きい内径部７８を形成し、さらに該内径部の周端から後方へ縦溝８０を設ける。締め付けバネ７６は、ステー７２の直径よりもわずかに大きい内径を有し、実施例１のそれとほぼ同じ形状である。内径部７８は、締め付けバネ７６の本体長さよりも長い。支持スタンド７４のフランジ部前端には、ロック解除部材８２の湾曲溝（図示しない）に嵌まる突起（図示しない）を植設する。
【００４８】
ロック解除部材８２は、ディスク状の大径部８４と、該大径部よりも径が小さくて長い小径部８６とからなり、該大径部の後方環状壁にディスク８８を固着することにより、該ロック解除部材を支持スタンド７４に回転自在に取り付ける。ロック解除部材８２において、大径部８４の円環状下方壁に湾曲溝を設け、該湾曲溝内にロックアシストバネ９０を収納する。
【００４９】
スタンド組み立て時には、締め付けバネ７６は、支持スタンド７４の内径部７８内に配置され、フリーの状態でその内径がステー７２の内径よりも若干大きい。締め付けバネ７６の後端部９２が縦溝８０に入り込み、締め付けバネ７６を係止する。次に、ロック解除部材８２の小径部８６を支持スタンド７４の内径部７８内に嵌入し、該内径部の縦スリット（図示しない）に締め付けバネ７６の前端部を挿入して係止する。この際に、支持スタンド７４の前記突起は、ロック解除部材８２の湾曲溝内に入り込む。
【００５０】
ロックアシストバネ９０は、ロック解除部材８２の湾曲溝内に収納され、ロック解除部材８２を常時付勢する。ロックアシストバネ９０の弾力は、締め付けバネ７６の捩り力よりも大きく、ロック解除部材８２を介して締め付けバネ７６の内径を狭めることにより、ステー７２を所定の高さ位置でロックする。
【００５１】
スライドスタンド装置７０において、ステー７２の高さを変える場合には、ロック解除部材８２をロックアシストバネ９０の弾力に逆らって回し、締め付けバネ７６の内径を元に戻し、そのままの状態でステー７２を昇降させる。次に、ロック解除部８２をフリーにすると、該ロック解除部材は、ロックアシストバネ９０の弾力によって逆方向に回り、締め付けバネ７６の内径を狭めることでステー７２を所定の高さ位置でロックする。
【符号の説明】
【００５２】
１    スライドスタンド装置
２    ステー
３    支持スタンド
８    締め付けバネ
１０    ロックアシストバネ
１２    ロック解除部材
３２    バネホルダ
４８    突起 
【図１】
0003190574.tif 000003
【図２】
0003190574.tif 000004
【図４】
0003190574.tif 000005
【図５】
0003190574.tif 000006
【図６】
0003190574.tif 000007
【図８】
0003190574.tif 000008
【図９】
0003190574.tif 000009
【図１０】
0003190574.tif 000010
【図３】
0003190574.tif 000011
【図７】
0003190574.tif 000012